(57)【要約】【課題】装飾役物のひとまとまりの状態としての一体感が損なわれることを防止し、遊技機の遊技における演出の効果を損なうことを防止することのできる、遊技機の可動役物を提供する。【解決手段】第一支持部材１１２により片持ち支持されて駆動源の動力により所定方向へ往復動自在に移動する第一装飾役物部１１１と、前記第一装飾役物部１１１の一側に対向して配置され、第二支持部材１１４により片持ち支持されて前記第一装飾役物部１１１と摺動自在に当接する第二装飾役物部１１３と、により、ひとまとまりの装飾役物として構成される装飾役物本体１１０を備える遊技機の可動役物であって、  前記第一装飾役物部１１１と前記第二装飾役物部１１３とを摺動自在に連結し、前記第一装飾役物部１１１が前記所定方向とは異なる方向へ移動することを規制するものである。【選択図】図１２
2011250892.tif 000002
【特許請求の範囲】
【請求項１】
第一支持部材により片持ち支持されて駆動源の動力により所定方向へ往復動自在に移動する第一装飾役物部と、前記第一装飾役物部の一側に対向して配置され、第二支持部材により片持ち支持されて前記第一装飾役物部と摺動自在に当接する第二装飾役物部と、により、ひとまとまりの装飾役物として構成される装飾役物本体を備える遊技機の可動役物であって、
前記第一装飾役物部と前記第二装飾役物部とを摺動自在に連結し、前記第一装飾役物部が前記所定方向とは異なる方向へ移動することを規制する連結機構を具備する遊技機の可動役物。
【請求項２】
前記連結機構は、前記第一装飾役物部が前記第二装飾役物部の一側に対向して配置された位置から相互に離間する方向へ最大限に移動した位置を予め設定して、前記第一装飾役物部が前記最大限に移動した位置を越えて移動することを規制し、
前記第一装飾役物部は、前記最大限に移動した位置に配置された状態であっても、前記第二装飾役物部と当接した状態である、請求項１に記載の遊技機の可動役物。
【発明の詳細な説明】
【技術分野】
【０００１】
本発明は、パチンコ機、スロットマシン等の遊技機に用いられる可動役物の技術に関する。
【背景技術】
【０００２】
パチンコ機、スロットマシン等の遊技機においては、所定の場合に演出用の装飾役物を駆動させる可動役物に関して、種々の技術が公知となっている。
【０００３】
例えば、装飾が施された演出部材（以下、「装飾役物」）と、前記装飾役物を左右側方から両持ち支持する支持部材と、前記支持部材を介して前記装飾役物を昇降（駆動）させる昇降装置と、を具備する遊技機の可動役物の技術が公知となっている（例えば、特許文献１参照）。
【０００４】
この技術によれば、装飾役物を、昇降装置により支持部材を介して昇降させ、遊技者に前記装飾役物の昇降を見せることによって、遊技機の遊技における演出の効果を高めることができる。
【０００５】
また、特許文献１に記載の技術とは別の従来技術において、装飾役物は、それぞれ別体の部材である第一の装飾役物部と第二の装飾役物部とを、それぞれ所定位置に配置して構成される。第一の装飾役物部と第二の装飾役物部とは、それぞれ別々の支持部材により片持ち支持される。そして、第一の装飾役物部は、昇降装置によって、当該第一の装飾役物部を片持ち支持する前記支持部材を介して昇降可能に構成される。
【０００６】
この技術によれば、第一の装飾役物部を片持ち支持する前記支持部材が、昇降装置によって、所定方向へ往復移動（昇降）するので、第一の装飾役物部を、第二の装飾役物部から離間する方向、または第二の装飾役物部に近接する方向へ移動させることができる。したがって、例えば装飾役物において、第一の装飾役物部と第二の装飾役物部とが相互に当接した（ひとまとまりの）状態で所定位置に配置されている場合、第一の装飾役物部が第二の装飾役物部から離間する方向へ移動すると、装飾役物が分割されるという演出が可能となる。他方、第一の装飾役物部が第二の装飾役物部に近接する方向へ移動すると、装飾役物が結合（一体化）されるという演出が可能となる。つまり、かかる演出を遊技者に見せることによって、遊技機の遊技における演出の効果を高めることができる。
【先行技術文献】
【特許文献】
【０００７】
【特許文献１】特開２００９−８２４００号公報
【発明の概要】
【発明が解決しようとする課題】
【０００８】
しかしながら、前記従来技術では、第一の装飾役物部と第二の装飾役物部とは、それぞれ別々の支持部材により片持ち支持されているため、第一の装飾役物部における第二の装飾役物部から離間する方向への移動と、第二の装飾役物部に近接する方向への移動とを交互に繰り返すことによって、第一の装飾役物部にガタが生じて、第一の装飾役物部と第二の装飾役物部との相互の位置関係が変化する場合がある。すなわち、第一の装飾役物部にガタが生じている場合には、第一の装飾役物部が当初の所定位置に配置されたとしても、第一の装飾役物部と第二の装飾役物部との当接部分に、上下または前後方向に段差や隙間が生じることとなる。したがって、装飾役物の一体化が不十分となり、ひとまとまりの状態としての一体感が損なわれることとなる。つまり、遊技機の遊技における演出の効果が損なわれることとなる。
【０００９】
本発明は、上記のような問題点に鑑みてなされたものであり、その解決しようとする課題は、所定方向へ往復動自在に移動する第一装飾役物部と、第二装飾役物部と、により構成される装飾役物において、第一装飾役物部と第二装飾役物部との相互の位置関係が変化し、装飾役物のひとまとまりの状態としての一体感が損なわれることを防止して、遊技機の遊技における演出の効果が損なわれることを防止することのできる、遊技機の可動役物を提供するものである。
【課題を解決するための手段】
【００１０】
本発明の解決しようとする課題は以上の如くであり、次にこの課題を解決するための手段を説明する。
【００１１】
即ち、請求項１においては、第一支持部材により片持ち支持されて駆動源の動力により所定方向へ往復動自在に移動する第一装飾役物部と、前記第一装飾役物部の一側に対向して配置され、第二支持部材により片持ち支持されて前記第一装飾役物部と摺動自在に当接する第二装飾役物部と、により、ひとまとまりの装飾役物として構成される装飾役物本体を備える遊技機の可動役物であって、前記第一装飾役物部と前記第二装飾役物部とを摺動自在に連結し、前記第一装飾役物部が前記所定方向とは異なる方向へ移動することを規制する連結機構を具備するものである。
【００１２】
請求項２においては、前記連結機構は、前記第一装飾役物部が前記第二装飾役物部の一側に対向して配置された位置から相互に離間する方向へ最大限に移動した位置を予め設定して、前記第一装飾役物部が前記最大限に移動した位置を越えて移動することを規制し、前記第一装飾役物部は、前記最大限に移動した位置に配置された状態であっても、前記第二装飾役物部と当接した状態であるものである。
【発明の効果】
【００１３】
本発明の効果として、以下に示すような効果を奏する。
【００１４】
請求項１においては、装飾役物における、第一装飾役物部と第二装飾役物部との相互の位置関係が変化し、第一装飾役物部と第二装飾役物部との当接部分に段差や隙間が生じることを防止することができる。その結果、装飾役物のひとまとまりの状態としての一体感が損なわれず、遊技機の遊技における演出の効果が損なわれることを防止することができる。
【００１５】
請求項２においては、第一装飾役物部が第二装飾役物部から離間するように移動した後に、第一装飾役物部を第二装飾役物部に近接するように移動する場合に、第一装飾役物部が第二装飾役物部に干渉して、第一装飾役物部の移動が妨げられることを防止することができる。
【図面の簡単な説明】
【００１６】
【図１】本発明の一実施形態に係る可動役物を備える遊技機の全体的な構成を示す正面図。
【図２】遊技盤および可動役物を示す正面図。
【図３】本発明の一実施形態に係る可動役物を示す正面図。
【図４】同じく、可動役物を示す背面図。
【図５】同じく、遊技盤、および図３におけるＡ−Ａ線矢視断面図。
【図６】同じく、動力伝達機構を示す正面図。
【図７】同じく、遊技盤と、第一装飾役物部および第二装飾役物部が左右に連なった状態の可動役物と、を示す正面図。
【図８】同じく、遊技盤と、第一装飾役物部が下降した状態の可動役物と、を示す正面図。
【図９】同じく、第一装飾役物部が下降した状態の可動役物を示す正面図。
【図１０】同じく、第一装飾役物部の下降が途中の状態の可動役物を示す背面図。
【図１１】同じく、第一装飾役物部の下降が終了した状態の可動役物を示す背面図。
【図１２】同じく、遊技盤、および図１１におけるＢ−Ｂ線矢視断面図。
【図１３】本発明の他の実施形態に係る可動役物を示す背面図。
【図１４】同じく、遊技盤、および図１３におけるＣ−Ｃ線矢視断面図。
【図１５】同じく、第一装飾役物部の下降が終了した状態の可動役物を示す背面図。
【発明を実施するための形態】
【００１７】
まず、本発明の一実施形態に係る可動役物１００を備える遊技機１の全体構成について、図１を用いて説明する。
なお、以下の説明において、遊技機１を遊技者から見て、手前側を遊技機１の前側とし、奥側を遊技機１の後側として、遊技機１の前後方向を規定する。また、遊技機１を遊技者から見て、左手側を遊技機１の左側とし、右手側を遊技機１の右側として、遊技機１の左右方向を規定する。
【００１８】
遊技機１には、機体の外郭を成す外枠２が設けられる。外枠２は、前後面が開口される略四角筒状の枠体である。外枠２は、パチンコホール等の遊技場に設けられる台島に設置される。外枠２の前側の開口部には、略四角形状の枠体である中枠３が、ヒンジ等の軸支部材を介して回動可能に支持される。中枠３には、後述する遊技盤４が着脱自在に取り付けられる。なお、遊技盤４には、遊技球が転動する遊技領域７が形成されている（図２参照）。さらに、中枠３には、略平板状の枠体である窓枠５と、下皿ユニット６とが、ヒンジ等の軸支部材を介してそれぞれ回動可能に支持される。
【００１９】
窓枠５には、窓枠開口部８が設けられる。窓枠開口部８は、正面視で略円形状であって、窓枠５を前後方向に貫通して形成される。窓枠開口部８は、窓枠５の略中央に配置される。窓枠開口部８には、透明板９が被覆される。そして、窓枠開口部８から透明板９を通じて、遊技盤４の遊技領域７が視認可能となるように構成される。また、窓枠５には、発射前の遊技球が貯溜される上皿１０が設けられる。上皿１０は、窓枠開口部８の下方に配置される。また、窓枠５には、スピーカ１１が設けられる。スピーカ１１は、窓枠開口部８の左右上方にそれぞれ配置される。
【００２０】
下皿ユニット６は、窓枠５の下方に配置される。下皿ユニット６には、上皿１０から溢れた遊技球が貯溜される下皿１２が設けられる。下皿１２は、下皿ユニット６の略中央に配置される。また、下皿ユニット６には、窓枠５の上皿１０に貯溜された遊技球を遊技領域７へ向けて発射可能に構成される発射ハンドル１３が設けられる。発射ハンドル１３は、図示せぬ遊技球発射装置に連結され、下皿１２の右側方に配置される。
【００２１】
次に、遊技盤４の構成について、図２を用いてさらに詳細に説明する。
【００２２】
遊技盤４は、基体２１と、図柄表示手段２２と、ガイドレール２３と、一般入賞口２４と、大入賞装置２５と、可変入賞装置２６と、アウト口２７とを備える。
【００２３】
基体２１は、遊技盤４の主たる構造体を成す部材である。基体２１は、略平板状の部材により形成される。基体２１には、遊技盤４の各構成部材が取り付けられる。また、基体２１には、図柄表示手段２２を取り付けるための図柄表示開口部３１が設けられる。図柄表示開口部３１は、正面視で略矩形状であって、基体２１を前後方向に貫通して形成される。図柄表示開口部３１は、基体２１の略中央に配置される。
【００２４】
図柄表示手段２２は、遊技機１における遊技の演出上の図柄や数字を変動表示する液晶画面３２を備える装置である。図柄表示手段２２は、液晶画面３２を前方へ向けた状態で、基体２１の後面側に取り付けられる。液晶画面３２は、基体２１の図柄表示開口部３１を通じて前方を臨んで、前方から視認可能となるように構成される。また、液晶画面３２は、基体２１よりも若干後方に配置されて、基体２１と液晶画面３２との間には隙間が形成される。この隙間には、後述する可動役物１００が配設される。
【００２５】
ガイドレール２３は、外ガイドレール３３ａと、内ガイドレール３３ｂとを備える。外ガイドレール３３ａおよび内ガイドレール３３ｂは、金属製の帯状の部材であり、正面視で略円弧状に形成される。外ガイドレール３３ａおよび内ガイドレール３３ｂは、短手方向を前後方向として基体２１の前面側から前方へ突出される。外ガイドレール３３ａは、基体２１の左側および上側の外周を周回するように配置される。内ガイドレール３３ｂは、外ガイドレール３３ａよりも基体２１の内側であって、基体２１の左側および下側の外周を周回するように配置される。
なお、基体２１の略中央における、外ガイドレール３３ａと内ガイドレール３３ｂとにより略円形状に区画形成された領域が、遊技領域７とされる。また、基体２１の左側における、外ガイドレール３３ａと内ガイドレール３３ｂとの間に区画形成された領域が、発射通路３４とされる。そして、発射ハンドル１３の回動操作に応じて前記遊技球発射装置により発射された遊技球が、発射通路３４を通過して遊技領域７へ放出されるように構成される。
【００２６】
一般入賞口２４は上面が開口するポケット状に形成されて、遊技球を入賞可能とする部材である。一般入賞口２４に遊技球が入賞すると、図示せぬ賞球払出装置によって所定数の賞球（遊技球）が払い出される。一般入賞口２４は、基体２１の遊技領域７の下部に複数個が配置される。
【００２７】
大入賞装置２５は、大当たり抽選により大当たりが選択されると、大入賞口３５を開放して遊技球を入賞可能とする装置である。大入賞口３５に遊技球が入賞すると、前記賞球払出装置によって所定数の賞球（遊技球）が払い出される。大入賞装置２５は、大入賞口３５や、図示せぬ駆動手段および駆動伝達部等を備える。大入賞装置２５は、基体２１の遊技領域７の略中央下部に配置される。
【００２８】
可変入賞装置２６は、予め設定された作動条件を満たすと、左右一対の可動片の動作に応じて、可変入賞口３６を入賞可能な開放状態または入賞不能な閉鎖状態に切り替える装置である。可変入賞口３６に遊技球が入賞すると、前記賞球払出装置によって所定数の賞球（遊技球）を払い出されると共に、図示せぬ抽選装置によって大当たり抽選が開始される。可変入賞装置２６は、基体２１の遊技領域７の略中央であって、図柄表示開口部３１の下方に配置される。
【００２９】
アウト口２７は、発射通路３４を通過して遊技領域７へ放出された遊技球が、一般入賞口２４や大入賞口３５等の各入賞口に入賞しなかった場合に、最終的に流入する開口部である。アウト口２７に流入した遊技球は、パチンコホール等の遊技場側に回収される。アウト口２７は、基体２１を前後方向に貫通して形成される。アウト口２７は、基体２１の遊技領域７の最下端に配置される。
【００３０】
次に、可動役物１００の構成について、図３から図７を用いて説明する。
【００３１】
可動役物１００は、所定の場合に駆動され、当該駆動による外観上の変化により遊技者に視覚的な印象（インパクト）を与えるためのものである。可動役物１００は、ロゴ等の形状を模して装飾された部材と、この部材を駆動（移動）させる機構とにより構成される。具体的には、可動役物１００は、装飾役物本体１１０と、動力伝達機構１５０と、連結機構１６０とにより構成される。
【００３２】
装飾役物本体１１０は、それぞれ別体の部材である第一装飾役物部１１１と第二装飾役物部１１３とがそれぞれ所定位置に配置されて、ひとまとまりの部材としての一体感を有するように装飾されて構成される部材である。装飾役物本体１１０の前面側、つまり遊技機１の遊技において遊技者が視認する側には、絵柄や模様等の装飾が施される。本実施形態において、装飾役物本体１１０の前面側には、英文字の「ＸＹＺ」のロゴが、第一装飾役物部１１１と第二装飾役物部１１３とを左右に跨いだ状態に施される。装飾役物本体１１０は、図柄表示手段２２の液晶画面３２の近傍に配置されて（図７参照）、遊技機１の遊技における所定の条件に応じ、所定方向へ往復動自在に移動するように構成される。
【００３３】
第一装飾役物部１１１は、略矩形状に形成される平板状の部材である。第一装飾役物部１１１は、概ねその長手方向を左右方向とし、短手方向を上下方向として、装飾役物本体１１０の略左側半分となる位置に配置される。第一装飾役物部１１１の右端側は、垂直方向に対して右側方へ傾斜した状態に形成される。すなわち、第一装飾役物部１１１の右側辺は、上方へ向かうにつれて右側方へ傾斜している。また、第一装飾役物部１１１の前面側には、装飾役物本体１１０の前面側に施される英文字の「ＸＹＺ」のロゴのうち、英文字の「Ｘ」のロゴと、英文字の「Ｙ」のロゴの略左側半分と、が施される。第一装飾役物部１１１は、第一支持部材１１２により支持される。
【００３４】
第一支持部材１１２は、略矩形状に形成される平板状の部材である。第一支持部材１１２は、概ねその長手方向を左右方向とし、短手方向を上下方向として、第一装飾役物部１１１の左側方に配置される。第一支持部材１１２は、その長手方向の右端側が第一装飾役物部１１１に固着され、その長手方向の左端側が後述するスライドレール部１５１のスライド体１５６に固着される。第一支持部材１１２は、スライド体１５６を介して所定方向へ往復動自在に移動（昇降）するように構成される。
【００３５】
このような構成により、第一装飾役物部１１１は、その一端側（左端側）が第一支持部材１１２により固定端とされ、他端側（右端側）が自由端とされることにより、第一支持部材１１２により片持ち支持される。そして、第一装飾役物部１１１は、図５に示すように、平面視で遊技盤４の基体２１の後方であって、かつ図柄表示手段２２の液晶画面３２の前方に配置される。また、第一装飾役物部１１１は、第一支持部材１１２を介して所定方向へ往復動自在に移動（昇降）するように構成される。
【００３６】
第二装飾役物部１１３は、略矩形状に形成される平板状の部材である。第二装飾役物部１１３は、概ねその長手方向を左右方向とし、短手方向を上下方向として、装飾役物本体１１０の略右側半分となる位置に配置される。第二装飾役物部１１３の左端側は、垂直方向に対して右側方へ傾斜した状態に形成される。すなわち、第二装飾役物部１１３の左側辺は、上方へ向かうにつれて右側方へ傾斜している。また、第二装飾役物部１１３の前面側には、装飾役物本体１１０の前面側に施される英文字の「ＸＹＺ」のロゴのうち、英文字の「Ｙ」のロゴの略右側半分と、英文字の「Ｚ」のロゴと、が施される。第二装飾役物部１１３は、第二支持部材１１４により支持される。
【００３７】
第二支持部材１１４は、略矩形状に形成される平板状の部材である。第二支持部材１１４は、概ねその長手方向を左右方向とし、短手方向を上下方向として、第二装飾役物部１１３の右側方に配置される。第二支持部材１１４は、その長手方向の右端側が、後述するスライドレール部１５１のスライド体１５６に固着され、その長手方向の左端側が第二装飾役物部１１３に固着される。第二支持部材１１４は、スライド体１５６を介して所定方向へ往復動自在に移動（昇降）するように構成される。
【００３８】
このような構成により、第二装飾役物部１１３は、その一端側（右端側）が第二支持部材１１４により固定端とされ、他端側（左端側）が自由端とされることにより、第二支持部材１１４により片持ち支持される。そして、第二装飾役物部１１３は、図５に示すように、平面視で遊技盤４の基体２１の後方であって、かつ図柄表示手段２２の液晶画面３２の前方に配置される。また、第二装飾役物部１１３は、第一支持部材１１２を介して所定方向へ往復動自在に移動（昇降）するように構成される。
【００３９】
次に、装飾役物本体１１０を構成している第一装飾役物部１１１と第二装飾役物部１１３との配置構成について、図３から図５を用いてさらに詳細に説明する。
【００４０】
第一装飾役物部１１１と第二装飾役物部１１３との配置構成においては、第二装飾役物部１１３が、第一装飾役物部１１１の右側方で、当該第一装飾役物部１１１の一側である右端側に対向して当接するように配置されて、当該第一装飾役物部１１１と左右に連なった状態となる。
具体的には、第一装飾役物部１１１の右側辺の垂直方向に対する右側方への傾斜角度と、第二装飾役物部１１３の左側辺の垂直方向に対する右側方への傾斜角度とは、同一角度（以下、「傾斜角度α」と称する。）となるように設定される。つまり、第一装飾役物部１１１の右側辺と第二装飾役物部１１３の左側辺とは、相互に平行となるように設定される。その上で、第一装飾役物部１１１の右側辺と第二装飾役物部１１３の左側辺とを相互に摺動自在に当接し、第一装飾役物部１１１の右側辺の上端部および下端部と、第二装飾役物部１１３の左側辺の上端部および下端部とを上下方向に（ガタが生じないように）位置を合わせて配置される。また、第一装飾役物部１１１の右側辺の前面側と、第二装飾役物部１１３の左側辺の前面側とを前後方向に（ガタが生じないように）位置を合わせて配置される。
【００４１】
また、このような第一装飾役物部１１１と第二装飾役物部１１３との配置構成において、第一装飾役物部１１１の前面側に施される英文字の「Ｙ」のロゴの略左側半分と、第二装飾役物部１１３の前面側に施される英文字の「Ｙ」のロゴの略右側半分とが、左右に連なった状態となり、正面視で英文字の「Ｙ」のロゴが形成される。つまり、第一装飾役物部１１１の前面側に施される英文字の「Ｘ」のロゴおよび英文字の「Ｙ」のロゴの略左側半分と、第二装飾役物部１１３の前面側に施される英文字の「Ｙ」のロゴの略右側半分および英文字の「Ｚ」のロゴと、が左右に連なった状態となり、正面視で英文字の「ＸＹＺ」のロゴが形成される。そして、この英文字の「ＸＹＺ」のロゴにより、装飾役物本体１１０は、ひとまとまりの役物として一体感を有するように装飾される。
【００４２】
このように装飾役物本体１１０は、第一装飾役物部１１１と第二装飾役物部１１３との配置構成と、英文字の「ＸＹＺ」のロゴにより、全体としてひとまとまりの装飾された役物（装飾役物）として一体感を有するように、遊技者に視覚的な印象を与えることができる。
【００４３】
次に、動力伝達機構１５０の構成について、図３から図７を用いて説明する。
【００４４】
動力伝達機構１５０は、駆動源からの動力を伝達し、第二装飾役物部１１３と第一装飾役物部１１１とをそれぞれ往復動自在に移動（昇降）させるためのものである。動力伝達機構１５０は、図６に示すように、スライドレール部１５１と、昇降装置１５２とにより構成される。
【００４５】
スライドレール部１５１は、スライドレール１５５と、スライド体１５６とにより構成される。
【００４６】
スライドレール１５５は、細長い略棒状の部材である。本実施形態においては、図５に示すように、二つのスライドレール１５５が設けられ、基体２１の後方であって、正面視で図柄表示手段２２の液晶画面３２を中央に挟んだ左右両側にそれぞれ配置される。なお、以下の説明において、左側に配置されるスライドレール１５５を左スライドレール１５５ａ、右側に配置されるスライドレール１５５を右スライドレール１５５ｂと称する。
【００４７】
左右のスライドレール１５５ａ・１５５ｂは、図３に示すように、その長手方向を右斜め方向、つまり上方へ向かうにつれて垂直方向に対して右側方へ傾斜した状態で配置される。なお、左右のスライドレール１５５ａ・１５５ｂの傾斜角度は、第一装飾役物部１１１の右側辺および第二装飾役物部１１３の左側辺の傾斜角度と同一、つまり傾斜角度αとなるように設定される。また、左右のスライドレール１５５ａ・１５５ｂの上端部は、基体２１の図柄表示開口部３１の下縁部よりも上方に位置し、左右のスライドレール１５５ａ・１５５ｂの下端部は、基体２１の図柄表示開口部３１の下縁部よりも下方に位置するようにそれぞれ設定される（図７参照）。
【００４８】
スライド体１５６は、図３に示すように、左右のスライドレール１５５ａ・１５５ｂに対してそれぞれ摺動可能に嵌め込まれる部材である。各スライド体１５６は、左右のスライドレール１５５ａ・１５５ｂの長手方向に沿って往復動自在に摺動される。具体的には、左右のスライドレール１５５ａ・１５５ｂは、垂直方向に対して右側方へ傾斜角度αだけ傾斜した状態で配置されるので、各スライド体１５６は、垂直方向に対して右側方へ傾斜角度αだけ傾斜した方向に往復動自在に摺動される。なお、以下の説明において、左スライドレール１５５ａに嵌め込まれるスライド体１５６を左スライド体１５６ａ、右スライドレール１５５ｂに嵌め込まれるスライド体１５６を右スライド体１５６ｂと称する。
【００４９】
左スライド体１５６ａは、前述したように、第一装飾役物部１１１を片持ち支持する第一支持部材１１２に固着される。したがって、左スライド体１５６ａが左スライドレール１５５ａの長手方向に沿って摺動すれば、第一装飾役物部１１１が第一支持部材１１２を介して当該左スライドレール１５５ａの長手方向、つまり垂直方向に対して右側方へ傾斜角度αだけ傾斜した方向に往復動自在に移動（昇降）する。
右スライド体１５６ｂは、前述したように、第二装飾役物部１１３を片持ち支持する第二支持部材１１４に固着される。したがって、右スライド体１５６ｂが右スライドレール１５５ｂの長手方向に沿って摺動すれば、第二装飾役物部１１３が第二支持部材１１４を介して当該右スライドレール１５５ｂの長手方向、つまり垂直方向に対して右側方へ傾斜角度αだけ傾斜した方向に往復動自在に移動（昇降）する。
【００５０】
昇降装置１５２は、図６に示すように、モータ１５７や、図示せぬギヤ等を内蔵し、第一装飾役物部１１１と第二装飾役物部１１３とをそれぞれ往復動自在に移動（昇降）させる装置である。モータ１５７は、本発明に係る「駆動源」の実施の一形態であり、供給される電力により回転駆動するものである。本実施形態においては、二つのモータ１５７が設けられ、左右のスライドレール１５５ａ・１５５ｂよりも上方にそれぞれ配置される。なお、以下の説明において、左スライドレール１５５ａの上方に配置されるモータ１５７を左モータ１５７ａ、右スライドレール１５５ｂの上方に配置されるモータ１５７を右モータ１５７ｂと称する。
【００５１】
左右のモータ１５７ａ・１５７ｂの回転駆動により発生した動力は、図示せぬギヤ機構を介して吊り上げ部材１５８・１５８にそれぞれ伝達される。吊り上げ部材１５８・１５８は、ワイヤ等の可撓性を有する線材である。吊り上げ部材１５８・１５８には、その下端部に、左右のスライドレール１５５ａ・１５５ｂに摺動可能に嵌めこまれた左右のスライド体１５６ａ・１５６ｂがそれぞれ固着される。
【００５２】
このような構成により、第一装飾役物部１１１および第二装飾役物部１１３を上昇させる場合、昇降装置１５２の左右のモータ１５７ａ・１５７ｂの動力は、図示せぬギヤ等を介して吊り上げ部材１５８・１５８に伝達される。そして、吊り上げ部材１５８・１５８により左右のスライド体１５６ａ・１５６ｂがそれぞれ左右のスライドレール１５５ａ・１５５ｂの長手方向に沿って上方へ摺動される。つまり、昇降装置１５２は、左スライド体１５６ａに固着される第一支持部材１１２、および右スライド体１５６ｂに固着される第二支持部材１１４を介して、第一装飾役物部１１１および第二装飾役物部１１３を上昇させることができる。
他方、第一装飾役物部１１１および第二装飾役物部１１３を下降させる場合、昇降装置１５２の左右のモータ１５７ａ・１５７ｂの動力を吊り上げ部材１５８・１５８に伝達しなければ、左右のスライド体１５６ａ・１５６ｂは、自重により左右のスライドレール１５５ａ・１５５ｂの長手方向に沿って下方へ摺動される。つまり、昇降装置１５２は、左スライド体１５６ａに固着される第一支持部材１１２、および右スライド体１５６ｂに固着される第二支持部材１１４を介して、第一装飾役物部１１１および第二装飾役物部１１３を下降させることができる。
【００５３】
次に、連結機構１６０の構成について、図４および図５を用いて説明する。
【００５４】
連結機構１６０は、本発明に係る「連結機構」の実施の一形態である。連結機構１６０は、第一装飾役物部１１１と第二装飾役物部１１３とを摺動自在に連結して、第一装飾役物部１１１が所定方向とは異なる方向へ移動することを規制するものである。具体的には、連結機構１６０は、連結アーム１６１と、回動軸１６２と、ガイド軸１６３とにより構成される。なお、本実施形態において前記「所定方向」とは、後述する第一装飾役物部１１１の移動方向である。すなわち前記「所定方向」とは、（役物演出位置Ｐ１と役物収納位置Ｐ２との間を）垂直方向に対して右側方へ傾斜角度αだけ傾斜した方向に移動する方向のことを指すものとする。
【００５５】
連結アーム１６１は、細長い矩形状に形成された平板状の部材である。連結アーム１６１の長手方向の長さは、第一装飾役物部１１１と第二装飾役物部１１３とを合わせた左右方向の長さよりも短く設定される。連結アーム１６１は、ガイド孔１６４と、回動孔１６５とを備える。
ガイド孔１６４は、連結アーム１６１の長手方向の略中央から一端側にかけて、当該連結アーム１６１の板面が矩形状または長円形状に貫通されて形成される。
回動孔１６５は、連結アーム１６１の他端側に、当該連結アーム１６１の板面が略円形状に貫通されて形成される。
連結アーム１６１は、第一装飾役物部１１１および第二装飾役物部１１３の後面に、当該連結アーム１６１の長手方向を概ね左右方向とし、短手方向を概ね上下方向として、回動孔１６５を第二装飾役物部１１３側に配置し、ガイド孔１６４を第一装飾役物部１１１側に配置して、すなわち当該第一装飾役物部１１１と当該第二装飾役物部１１３とを左右に跨いだ状態に配置される。
【００５６】
回動軸１６２は、連結アーム１６１を、当該連結アーム１６１の回動孔１６５を介して第二装飾役物部１１３に回動自在に軸支する部材である。本実施形態において、回動軸１６２は、ネジ等の円柱状の部材により構成される。回動軸１６２は、後方から連結アーム１６１の回動孔１６５に挿通される。そして、回動軸１６２は、当該回動軸１６２の後端部と第二装飾役物部１１３の後面との間に、連結アーム１６１を適度に挟持した状態で、軸心方向を前後方向として当該第二装飾役物部１１３の後面に固着される。なお、前記「適度に挟持した状態」とは、回動軸１６２によって、連結アーム１６１の前面が第二装飾役物部１１３の後面に摺動自在に当接されている状態を言う。
【００５７】
このような構成により、連結アーム１６１は、回動軸１６２を中心として左右回りに回動することができる。また、連結アーム１６１の前面と第二装飾役物部１１３の後面とが当接している。したがって、連結アーム１６１は、第二装飾役物部１１３に対して左右回りに回動自在であるが、それ以外の方向、つまり回動軸１６２を中心とした前後方向へガタが生じることを防止することができる。
【００５８】
ガイド軸１６３は、連結アーム１６１のガイド孔１６４に挿通された状態で第一装飾役物部１１１に取り付けられ、ガイド孔１６４を介して、当該連結アーム１６１の左右回りの回動を案内する部材である。本実施形態において、ガイド軸１６３は、ボルト等の円柱状の部材により構成される。ガイド軸１６３は、後方から連結アーム１６１のガイド孔１６４に挿通され、当該連結アーム１６１に係合される。そして、ガイド軸１６３は、当該ガイド軸１６３の後端部と第一装飾役物部１１１の後面との間に、連結アーム１６１を適度に挟持した状態で、軸心方向を前後方向として第一装飾役物部１１１の後面に固着される。また、ガイド軸１６３は、連結アーム１６１が、その長手方向を左右方向として配置される状態（第一装飾役物部１１１と第二装飾役物部１１３とが左右に連なった状態）で、正面視でガイド孔１６４内の右側端部に配置される。なお、前記「適度に挟持した状態」とは、ガイド軸１６３が連結アーム１６１のガイド孔１６４内をその長手方向に沿って摺動自在であって、かつ連結アーム１６１の前面が第一装飾役物部１１１の後面に摺動自在に当接されている状態を言う。
【００５９】
このような構成により、連結アーム１６１は、当該連結アーム１６１のガイド孔１６４内に挿通されたガイド軸１６３を、当該ガイド孔１６４内の長手方向に沿って摺動させることができる。また、連結アーム１６１の前面と第一装飾役物部１１１の後面とが当接している。したがって、連結アーム１６１は、第一装飾役物部１１１に対して摺動自在であるが、それ（摺動する方向）以外の方向、つまりガイド軸１６３を中心とした前後方向へガタが生じることを防止することができる。
【００６０】
以上のような連結機構１６０の構成により、連結アーム１６１に、第二装飾役物部１１３に対して前後方向にガタが生じることを防止すると共に、第一装飾役物部１１１に対して前後方向にガタが生じることを防止している。換言すれば、このような連結機構１６０の構成により、第一装飾役物部１１１が、第二装飾役物部１１３に対して、前記所定方向とは異なる方向の一方向である前後方向に移動することを規制する。つまり、第一装飾役物部１１１と第二装飾役物部１１３との相互の位置関係が変化し、第一装飾役物部１１１と第二装飾役物部１１３との当接部分に段差や隙間が生じることを防止することができる。その結果、装飾役物本体１１０のひとまとまりの状態としての一体感が損なわれることを防止することができる。
【００６１】
なお、本実施形態においては、第一装飾役物部１１１と第二装飾役物部１１３とは、それぞれ第一支持部材１１２と第二支持部材１１４とにより第一装飾役物部１１１と第二装飾役物部１１３とが当接する側を自由端として片持ち支持されている。したがって、第一装飾役物部１１１と第二装飾役物部１１３とは、その当接する側（つまり、第一装飾役物部１１１の右端側と第二装飾役物部１１３の左端側）の相互の位置関係が前後方向に変化しやすい構成となっている。これに対して、本発明に係る可動役物１００においては、片持ち支持されていても、第一装飾役物部１１１が第二装飾役物部１１３に対して、前後方向にガタが生じることを防止し、第一装飾役物部１１１と第二装飾役物部１１３との相互の位置関係、特に第一装飾役物部１１１と第二装飾役物部１１３との当接する側の位置関係が前後方向に変化することを防止することができるという優れた効果を奏するものである。
また、特に本実施形態においては、第一装飾役物部１１１と第二装飾役物部１１３とを左右に跨いだ状態に英文字の「ＸＹＺ」のロゴが施されている。英文字の「Ｙ」のロゴに対して相互の位置関係が前後方向に変化した（ガタが生じた）場合には、そのガタは目立ち易い（遊技者が視認して認識しやすい）ため、本発明に係る可動役物１００における効果が、特に優れた効果を奏するものである。
【００６２】
次に、可動役物１００の動作態様について、図５、図７および図８を用いて説明する。
【００６３】
可動役物１００においては、装飾役物本体１１０の移動について、主に二つの動作態様を有する。具体的には、第一装飾役物部１１１と第二装飾役物部１１３とにより構成される装飾役物本体１１０が、左右に連なった状態のまま、所定方向へ往復動自在に移動（昇降）する動作態様（以下、「通常動作態様」と称する。）と、装飾役物本体１１０が分割されて、第一装飾役物部１１１が第二装飾役物部１１３に対して相対的に所定方向へ往復動自在に移動（昇降）する動作態様（以下、「分割動作態様」と称する。）とである。
【００６４】
まず、装飾役物本体１１０の移動における通常動作態様について説明する。
【００６５】
通常動作態様においては、装飾役物本体１１０は、図７に示すように、正面視で基体２１の図柄表示開口部３１の下縁部よりも若干下方の位置が、最下部の配置位置（以下、「役物収納位置Ｐ２」と称する。）となる。この役物収納位置Ｐ２に配置されている装飾役物本体１１０は、図５および図７に示すように、基体２１の後方であって、かつ図柄表示開口部３１の下縁部よりも下方に配置されて、遊技者が図柄表示開口部３１を通じて視認することができないように構成される。つまり、装飾役物本体１１０は、遊技機１の遊技における演出に用いられない場合に、この役物収納位置Ｐ２に配置される。
【００６６】
また、装飾役物本体１１０は、図７に示すように、正面視で基体２１の図柄表示開口部３１の上下略中央の位置が、最上部の配置位置（以下、「役物演出位置Ｐ１」と称する。）となる。この役物演出位置Ｐ１に配置されている装飾役物本体１１０は、図５および図７に示すように、基体２１の後方であるが、正面視で図柄表示開口部３１の後方に配置されて、遊技者が図柄表示開口部３１を通じて視認することができるように構成される。つまり、装飾役物本体１１０は、遊技機１の遊技における演出に用いられる場合に、この役物演出位置Ｐ１に配置される。
なお、役物演出位置Ｐ１に配置されている装飾役物本体１１０は、正面視で図柄表示手段２２の液晶画面３２の前方に配置されるので、この液晶画面３２に表示される図柄や数字の変動等と共に昇降して、遊技機１の遊技における演出の効果を高めることができる。
【００６７】
そして、この通常動作態様においては、装飾役物本体１１０が、第一装飾役物部１１１と第二装飾役物部１１３とが左右に連なった状態のまま、役物収納位置Ｐ２と役物演出位置Ｐ１との間を、昇降装置１５２によって遊技機１の遊技における所定の条件に応じて往復動自在に移動するように構成される。なお、役物収納位置Ｐ２と役物演出位置Ｐ１との間の移動方向は、前記所定方向、つまり垂直方向に対して右側方へ傾斜角度αだけ傾斜した方向となる。
【００６８】
なお、この通常動作態様においては、装飾役物本体１１０が、第一装飾役物部１１１と第二装飾役物部１１３とが左右に連なった状態のまま、役物収納位置Ｐ２と役物演出位置Ｐ１との間を往復動自在に移動するので、装飾役物本体１１０を構成している第一装飾役物部１１１と第二装飾役物部１１３との相互の位置関係は変化しない。したがって、装飾役物本体１１０の裏面、つまり第一装飾役物部１１１および第二装飾役物部１１３の裏面に配置され、当該第一装飾役物部１１１と当該第二装飾役物部１１３とを連結している連結アーム１６１は、概ねその長手方向を左右方向として配置されたままである（左右回りに回動しない）。
【００６９】
次に、装飾役物本体１１０の移動における分割動作態様について説明する。
【００７０】
分割動作態様においては、装飾役物本体１１０が、図８に示すように、役物演出位置Ｐ１に配置されている状態において、当該装飾役物本体１１０が分割され、第二装飾役物部１１３が静止した状態で第一装飾役物部１１１が下降する。つまり、分割動作態様とは、第一装飾役物部１１１を、第二装飾役物部１１３から離間する方向へ移動して第一装飾役物部１１１と第二装飾役物部１１３との相互の位置関係を変化させるものである。
また、分割動作態様においては、その後に第一装飾役物部１１１が上昇し、再び役物演出位置Ｐ１に配置されて、役物演出位置Ｐ１において第一装飾役物部１１１と第二装飾役物部１１３とが左右に連なった状態となり、全体としてひとまとまりの装飾役物である装飾役物本体１１０が形成されるように構成される。
【００７１】
具体的には、昇降装置１５２の右モータ１５７ｂによって右スライド体１５６ｂを上昇させたまま、昇降装置１５２の左モータ１５７ａによって左スライド体１５６ａを左スライドレール１５５ａの長手方向に沿って下方へ摺動させる。その結果、第二装飾役物部１１３が静止した状態で、第一装飾役物部１１１が、左スライド体１５６ａに固着された第一支持部材１１２を介して当該第二装飾役物部１１３から離間する方向に下降する。
また、その後に昇降装置１５２の左モータ１５７ａによって左スライド体１５６ａを左スライドレール１５５ａの長手方向に沿って上方へ摺動させる。その結果、第二装飾役物部１１３が静止した状態で、第一装飾役物部１１１が、左スライド体１５６ａに固着された第一支持部材１１２を介して当該第二装飾役物部１１３に近接する方向へ上昇する。そして、第一装飾役物部１１１が役物演出位置Ｐ１に到達すると、第一装飾役物部１１１の上昇が停止し、第一装飾役物部１１１と第二装飾役物部１１３とが左右に連なった状態となり、装飾役物本体１１０が全体としてひとまとまりの一体感を有することとなる。
【００７２】
このような構成により、可動役物１００は、装飾役物本体１１０が、第一装飾役物部１１１と第二装飾役物部１１３とが左右に連なった状態、つまり全体としてひとまとまりの一体感を有した状態で上昇または下降という二つの動作を選択的に組み合わせて可動するだけではなく、第一装飾役物部１１１が、第二装飾役物部１１３に対して相対的に下降するという動作を加えて、これらを選択的に組み合わせて可動する構成とすることができる。
つまり、第一装飾役物部１１１が、第二装飾役物部１１３に対して相対的に下降した場合には、全体としてひとまとまりの装飾役物である装飾役物本体１１０が分割され、その分割された左側半分だけが下方へ落下したような視覚的な印象（インパクト）を遊技者に与えることができる。その結果、遊技機１の遊技における演出の効果を高めることができる。
特に、本実施形態において、装飾役物本体１１０にて第一装飾役物部１１１と第二装飾役物部１１３とを左右に跨いだ状態に英文字の「ＸＹＺ」のロゴが施される。したがって、第二装飾役物部１１３が静止した状態で第一装飾役物部１１１が下降すると、英文字の「ＸＹＺ」のロゴのうち、英文字の「Ｙ」のロゴが分割され、その英文字の「Ｙ」のロゴの左側半分が下方へ落下したような視覚的な印象を遊技者に与えて、遊技機１の遊技における演出の効果をさらに高めることができる。
【００７３】
ここで、第一装飾役物部１１１が下降する方向は、当該第一装飾役物部１１１を、第一支持部材１１２を介して支持している左スライド体１５６ａの下方への摺動方向と同一である。すなわち、左スライド体１５６ａは、左スライドレール１５５ａの長手方向、つまり垂直方向に対して右側方へ傾斜角度αだけ傾斜した下方向に摺動するので、第一装飾役物部１１１も垂直方向に対して右側方へ傾斜角度αだけ傾斜した方向に下降する。これに対して、第一装飾役物部１１１の右側辺および第二装飾役物部１１３の左側辺は、第一装飾役物部１１１が下降する方向と同一方向、つまり垂直方向に対して右側方へ傾斜角度αだけ傾斜した方向に沿って形成されている。
【００７４】
このような構成により、第二装飾役物部１１３が静止した状態で第一装飾役物部１１１が下降する場合には、第一装飾役物部１１１は、その右側辺が第二装飾役物部１１３の左側辺に摺動しながら下降することとなる。換言すれば、第二装飾役物部１１３が静止した状態で第一装飾役物部１１１が下降する場合には、第一装飾役物部１１１は、その右側辺が第二装飾役物部１１３の左側辺から左右方向に離間しながら下降したり、その右側辺が第二装飾役物部１１３の左側辺を押圧しながら下降したりすることがなく、円滑に下降することができる。
その結果、装飾役物本体１１０は、あたかも鋭利な刃物により切断されて、その切断面により第一装飾役物部１１１が第二装飾役物部１１３から分割されて滑り落ちるという視覚的な印象を、遊技者に与えることができる。その結果、遊技機１の遊技における演出の効果を高めることができる。
【００７５】
なお、第二装飾役物部１１３が静止した状態で第一装飾役物部１１１が下降する場合には、第一装飾役物部１１１と第二装飾役物部１１３との相互の位置関係が変化する。したがって、第一装飾役物部１１１および当該第二装飾役物部１１３の裏面に配置され、当該第一装飾役物部１１１と当該第二装飾役物部１１３とを連結している連結アーム１６１は、当該第一装飾役物部１１１の下降に合わせて回動することとなる。
【００７６】
なお、本実施形態において、装飾役物本体１１０の移動における分割動作態様は、装飾役物本体１１０が役物演出位置Ｐ１に配置されている状態において、第一装飾役物部１１１が下降するものであるが、これに限定するものではない。すなわち、役物演出位置Ｐ１以外の配置位置で、第一装飾役物部１１１が下降または上昇するものであってもよい。
また、本実施形態において、装飾役物本体１１０の移動における分割動作態様は、第一装飾役物部１１１が第二装飾役物部１１３に対して相対的に下降するものであるが、これに限定するものではない。すなわち、第二装飾役物部１１３が第一装飾役物部１１１に対して相対的に下降または上昇するものであってもよい。
【００７７】
次に、装飾役物本体１１０の移動における分割動作態様において、連結アーム１６１の動作態様について、図９から図１２を用いて説明する。
【００７８】
まず、可動役物１００は、装飾役物本体１１０が役物演出位置Ｐ１に配置されている状態において、第一装飾役物部１１１が下降すると（図７および図８参照）、当該第一装飾役物部１１１の裏面に固着されたガイド軸１６３が下降する。そして、ガイド軸１６３に係合されている連結アーム１６１が、回動軸１６２を中心として左回り（正面視で反時計回り）に回動する。またこの際に、図１０に示すように、第二装飾役物部１１３に固着された回動軸１６２と第一装飾役物部１１１に固着されたガイド軸１６３との間隔が離れる（直線距離が長くなる）ため、連結アーム１６１のガイド孔１６４内の右端に挿通されていたガイド軸１６３は、第一装飾役物部１１１の下降と共にガイド孔１６４内の左側へ移動することとなる。そして、図１１に示すように、ガイド軸１６３が、連結アーム１６１のガイド孔１６４内の左端に到達した場合、つまりガイド孔１６４内の左端から回動軸１６２までの距離と、ガイド軸１６３から回動軸１６２までの距離とが同一となった場合には、ガイド軸１６３の下降は、ガイド軸１６３が連結アーム１６１のガイド孔１６４内の左端に干渉することにより規制されて、ひいては第一装飾役物部１１１の下降が終了する。
【００７９】
このような構成により、可動役物１００は、連結アーム１６１によりガイド軸１６３の下降を規制することによって、第一装飾役物部１１１の下降が終了する構成とすることができる。したがって、可動役物１００は、予め連結アーム１６１（または、ガイド孔１６４）の長手方向の長さを調整することにより、第一装飾役物部１１１の下降が終了する位置を設定することができる。換言すれば、連結機構１６０（さらに詳細には、連結アーム１６１）により、第一装飾役物部１１１が第二装飾役物部１１３から相互に離間する方向へ最大限に移動した位置を予め設定して、第一装飾役物部１１１がこの最大限に移動した位置を越えて移動することを規制することができる。よって、可動役物１００は、例えば昇降装置１５２の左モータ１５７ａが故障したり、吊り上げ部材１５８が切断されたりした場合であっても、第一装飾役物部１１１がその下降が終了した位置からさらに（意図せずに）下降し、遊技機１の他の部材と接触して破損すること等の不都合を防止することができる。
【００８０】
次に、第一装飾役物部１１１が役物演出位置Ｐ１に再び配置されるために上昇すると、当該第一装飾役物部１１１の裏面に固着されたガイド軸１６３が上昇する。そして、ガイド軸１６３に係合されている連結アーム１６１が、回動軸１６２を中心として右回り（正面視で時計回り）に回動する。またこの際に、第二装飾役物部１１３に固着された回動軸１６２と第一装飾役物部１１１に固着されたガイド軸１６３との間隔が近接する（直線距離が短くなる）ため、連結アーム１６１のガイド孔１６４内の左端に挿通されていたガイド軸１６３は、第一装飾役物部１１１の上昇と共にガイド孔１６４内の右側へ移動することとなる。そして、ガイド軸１６３が、ガイド孔１６４内の右端に到達した場合、つまり、ガイド孔１６４内の右端から回動軸１６２までの距離が、ガイド軸１６３から回動軸１６２までの距離と同一となった場合には、ガイド軸１６３の上昇は、ガイド軸１６３が連結アーム１６１のガイド孔１６４内の右端に干渉することにより規制されて、ひいては第二装飾役物部１１３の上昇が終了する。
【００８１】
このような構成により、第一装飾役物部１１１が第二装飾役物部１１３に対して相対的に上昇または下降する場合に、連結機構１６０（さらに詳細には、連結アーム１６１）によって、上昇が終了する位置（役物演出位置Ｐ１）、または下降が終了する位置（つまり、予め設定された、第一装飾役物部１１１が第二装飾役物部１１３から相互に離間する方向へ最大限に移動した位置）、に当該第一装飾役物部１１１を確実に停止させて配置することができる。
したがって、可動役物１００において、装飾役物本体１１０は、第一装飾役物部１１１が往復動自在に移動（昇降）を繰り返した場合であっても、第一装飾役物部１１１と第二装飾役物部１１３とが左右に連なった状態であれば、第一装飾役物部１１１と第二装飾役物部１１３との相互の位置関係が変化せず、装飾役物本体１１０のひとまとまりの状態としての一体感が損なわれることを防止することができる。
【００８２】
また、第一装飾役物部１１１と第二装飾役物部１１３とが左右に連なった状態である場合と同様に、第一装飾役物部１１１が第二装飾役物部１１３に対して相対的に上昇または下降する場合であっても、連結アーム１６１は、第二装飾役物部１１３に対して前後方向にガタが生じることを防止すると共に、第一装飾役物部１１１に対して前後方向にガタが生じることを防止している。換言すれば、このような連結機構１６０の構成により、第一装飾役物部１１１が、第二装飾役物部１１３に対して、前記所定方向とは異なる方向の一方向である前後方向に移動することを規制する。つまり、第一装飾役物部１１１と第二装飾役物部１１３との相互の位置関係が変化し、第一装飾役物部１１１と第二装飾役物部１１３との当接部分に段差や隙間が生じることを防止することができる。その結果、装飾役物本体１１０のひとまとまりの状態としての一体感が損なわれることを防止することができる。
【００８３】
また、装飾役物本体１１０において、第二装飾役物部１１３が静止した状態で第一装飾役物部１１１が往復動自在に移動（昇降）することによって、第一装飾役物部１１１と第二装飾役物部１１３との相互の位置関係が変化せず、第一装飾役物部１１１の右側辺と第二装飾役物部１１３の左側辺との相対的な配置位置が当初の配置位置から変化することがない。よって、例えば第一装飾役物部１１１の右側辺の配置場所や傾斜角度が変化することによって、第一装飾役物部１１１が昇降する場合に、その第一装飾役物部１１１の右側辺が第二装飾役物部１１３の左側辺を押圧しながら昇降する等の不都合がない。つまり、可動役物１００は、装飾役物本体１１０において、第二装飾役物部１１３が静止している状態で第一装飾役物部１１１の昇降を円滑に行なうことができる。
【００８４】
また、可動役物１００は、予め連結機構１６０を設定することにより、図９および図１１に示すように、第二装飾役物部１１３が静止した状態で第一装飾役物部１１１の下降が終了した場合（第一装飾役物部１１１が第二装飾役物部１１３から相互に離間する方向へ最大限に移動した位置に到達した場合）であっても、第一装飾役物部１１１の右上端部と、第二装飾役物部１１３の左下端部とが相互に当接した状態となるように構成できる。つまり、可動役物１００は、第一装飾役物部１１１の下降が終了した場合であっても、第一装飾役物部１１１が、第二装飾役物部１１３から上下および左右方向に離間されて、当該第一装飾役物部１１１と当該第二装飾役物部１１３との間に隙間が生じる（当接状態が解除される）ことがない。
【００８５】
このような構成により、可動役物１００は、第二装飾役物部１１３が静止した状態で第一装飾役物部１１１の下降が終了した後に、第一装飾役物部１１１を再び役物演出位置Ｐ１に上昇する際に生じる不都合を防止することができる。具体的には、第一装飾役物部１１１の下降が終了した際に、第一装飾役物部１１１の右上端部が第二装飾役物部１１３の左下端部よりも下方に位置し、第一装飾役物部１１１と第二装飾役物部１１３との当接状態が解除された場合、つまり第一装飾役物部１１１と第二装飾役物部１１３との間に隙間が生じた場合には、第一支持部材１１２により左側方から片持ち支持される第一装飾役物部１１１が、自らの自重により自由端側（右端側）を下方へ弛ませることがある。そして、この右端側が下方へ弛んだ状態の第一装飾役物部１１１を上昇させ、再び役物演出位置Ｐ１に配置する場合に、第一装飾役物部１１１の右上端部が第二装飾役物部１１３の左下端部に干渉して、第一装飾役物部１１１の上昇、つまり第一装飾役物部１１１を再び役物演出位置Ｐ１に配置するための移動が妨げられるという不都合がある。
しかしながら、前述したように、第二装飾役物部１１３が静止した状態で第一装飾役物部１１１の下降が終了した場合であっても、第一装飾役物部１１１と第二装飾役物部１１３との当接状態は解除されないので、第一装飾役物部１１１の下降が終了した後に第一装飾役物部１１１が上昇した際に、第一装飾役物部１１１の右上端部が第二装飾役物部１１３の左下端部に干渉することがない。つまり、第一装飾役物部１１１を再び役物演出位置Ｐ１に配置するための移動が妨げられることがない。
【００８６】
また、図１１に示すように、第二装飾役物部１１３が静止した状態で第一装飾役物部１１１の下降が終了した場合に、連結アーム１６１は、回動孔１６５側を上とし、ガイド孔１６４側を下として、つまり長手方向を右斜め方向として配置される。そして、連結アーム１６１における、第一装飾役物部１１１と第二装飾役物部１１３とを跨いだ位置には、第一装飾役物部１１１の右上端部と、第二装飾役物部１１３の左下端部との当接部分が配置される。つまり、連結アーム１６１は、第一装飾役物部１１１の下降が終了した場合であっても、正面視で第一装飾役物部１１１および第二装飾役物部１１３の後方に、これらと重複（一致）するように配置されて、遊技者がこの連結アーム１６１を視認することができないように構成される。つまり、可動役物１００において、遊技者が視認するための部材である第一装飾役物部１１１および第二装飾役物部１１３以外の部材である連結アーム１６１を、遊技者が視認することを防止することができる。
【００８７】
次に、本発明に係る可動役物の別実施形態である可動役物２００について、図１３から図１５を用いて説明する。なお、可動役物２００の構成のうち、可動役物１００と略同一の部材には可動役物１００と対応する部材と同一の符号を付し、説明を省略する。
【００８８】
図１３から図１５に示す連結機構２６０は、本発明に係る連結機構の実施の一形態である。連結機構２６０は、第一装飾役物部１１１と第二装飾役物部１１３とを摺動自在に連結して、第一装飾役物部１１１が前記所定方向とは異なる方向へ移動することを規制するものである。具体的には、連結機構２６０は、凹溝２１３と、凸部２１１とにより構成される。
【００８９】
凹溝２１３は、第二装飾役物部１１３の左側端面に形成される溝部である。凹溝２１３は、その長手方向を第二装飾役物部１１３の左側辺に沿って形成される。凹溝２１３は、図１４に示すように、第二装飾役物部１１３の左側端面に、平面断面視で第一装飾役物部１１１側（左側方）へ向けて開口された略凹状に形成される。なお、凹溝２１３の上端部および下端部は閉塞されている。
【００９０】
凸部２１１は、第一装飾役物部１１１の右側端面から右側方へ向けて突出して形成される部位である。凸部２１１は、第一装飾役物部１１１の右上端部に配置される。凸部２１１は、その外幅が、凹溝２１３の内幅よりも僅かに小さく設定される。凸部２１１は、凹溝２１３内に嵌め込まれて当該凹溝２１３の長手方向に沿って摺動自在に構成される。
【００９１】
このような構成において、図１３に示すように、第一装飾役物部１１１と第二装飾役物部１１３とが左右に連なった状態に配置されている場合、凸部２１１の上端部が凹溝２１３の上側の閉塞部の下面に当接した状態、つまり第一装飾役物部１１１の上昇が規制された状態となっている。また、図１５に示すように、第二装飾役物部１１３が静止した状態で第一装飾役物部１１１の下降が終了した場合、凸部２１１の下端部が凹溝２１３の下側の閉塞部の上面に当接した状態、つまり第一装飾役物部１１１の下降が規制された状態となっている。したがって、第一装飾役物部１１１と第二装飾役物部１１３との相互の位置関係を連結機構２６０により、予め設定することができる。
【００９２】
また、前述したように、凸部２１１は、その外幅が凹溝２１３の内幅よりも僅かに小さく設定される。換言すれば、凸部２１１は、凹溝２１３内に嵌めこまれた状態で、前後方向にガタが生じないように構成される。したがって、凸部２１１を備える第一装飾役物部１１１と、凹溝２１３を備える第二装飾役物部１１３との相互の位置関係においても、前後方向にガタが生じることがない。つまり、連結機構２６０により、第一装飾役物部１１１が第二装飾役物部１１３に対して、前記所定方向とは異なる方向の一方向である前後方向にガタが生じることを防止することができる。その結果、装飾役物本体１１０のひとまとまりの状態としての一体感が損なわれることを防止することができる。
【００９３】
なお、本実施形態において、凸部２１１は第一装飾役物部１１１の部位であり、凹溝２１３は第二装飾役物部１１３に形成される構成としたがこれに限定するものではない。すなわち、凸部２１１および凹溝２１３をそれぞれ第一装飾役物部１１１および第二装飾役物部１１３と別部材、例えば凸状のレール部材と、凹溝状のレール部材として、第一装飾役物部１１１と第二装飾役物部１１３とにそれぞれ固着する構成とすることができる。
【００９４】
以上のように、遊技機１の可動役物１００は、
第一支持部材１１２により片持ち支持されて駆動源の動力により所定方向へ往復動自在に移動する第一装飾役物部１１１と、前記第一装飾役物部１１１の一側に対向して配置され、第二支持部材１１４により片持ち支持されて前記第一装飾役物部１１１と摺動自在に当接する第二装飾役物部１１３と、により、ひとまとまりの装飾役物として構成される装飾役物本体１１０を備える遊技機の可動役物であって、
前記第一装飾役物部１１１と前記第二装飾役物部１１３とを摺動自在に連結し、前記第一装飾役物部１１１が前記所定方向とは異なる方向へ移動することを規制するものである。
【００９５】
このように構成されるので、可動役物１００は、第一装飾役物部１１１が、前記所定方向、つまり（役物演出位置Ｐ１と役物収納位置Ｐ２との間を）垂直方向に対して右側方へ傾斜角度αだけ傾斜した方向に移動する方向とは異なる方向（例えば前後方向）へ移動することを規制することができる。したがって、第一装飾役物部１１１と第二装飾役物部１１３とが左右に連なった状態にある装飾役物本体１１０において、第一装飾役物部１１１と第二装飾役物部１１３との相互の位置関係が変化し、第一装飾役物部１１１と第二装飾役物部１１３との当接部分に段差や隙間が生じることを防止することができる。その結果、装飾役物本体１１０のひとまとまりの状態としての一体感が損なわれず、遊技機１の遊技における演出の効果が損なわれることを防止することができる。
【００９６】
また、遊技機１の可動役物１００において、
前記連結機構１６０は、前記第一装飾役物部１１１が前記第二装飾役物部１１３の一側に対向して配置された位置から相互に離間する方向へ最大限に移動した位置を予め設定して、前記第一装飾役物部１１１が前記最大限に移動した位置を越えて移動することを規制し、
前記第一装飾役物部１１１は、前記最大限に移動した位置に配置された状態であっても、前記第二装飾役物部１１３と当接した状態であるものである。
【００９７】
このように構成されるので、第二装飾役物部１１３が静止した状態で第一装飾役物部１１１の下降が終了した場合であっても、第一装飾役物部１１１と第二装飾役物部１１３との当接状態は解除されないので、第一装飾役物部１１１の下降が終了した後に第一装飾役物部１１１が上昇した際に、第一装飾役物部１１１の右上端部が第二装飾役物部１１３の左下端部に干渉することがない。つまり、第一装飾役物部１１１を再び役物演出位置Ｐ１に配置するための移動が妨げられることがない。
【符号の説明】
【００９８】
１：遊技機，１００：可動役物，１１０：装飾役物本体，１１１：第一装飾役物部，１１２：第一支持部材，１１３：第二装飾役物部，１１４：第二支持部材，１５０；動力伝達機構，１５７：モータ，１６０：連結機構
【図１】
2011250892.tif 000003
【図２】
2011250892.tif 000004
【図３】
2011250892.tif 000005
【図４】
2011250892.tif 000006
【図５】
2011250892.tif 000007
【図６】
2011250892.tif 000008
【図７】
2011250892.tif 000009
【図８】
2011250892.tif 000010
【図９】
2011250892.tif 000011
【図１０】
2011250892.tif 000012
【図１１】
2011250892.tif 000013
【図１２】
2011250892.tif 000014
【図１３】
2011250892.tif 000015
【図１４】
2011250892.tif 000016
【図１５】
2011250892.tif 000017